(57)【要約】【課題】基地局間キャリアアグリゲーションによりユーザ装置と通信を行う第１の基地局及び第２の基地局を備える移動通信システムにおいて、ユーザ装置に対する測定設定を適切に行う。【解決手段】基地局間キャリアアグリゲーションによりユーザ装置と通信を行う第１の基地局及び第２の基地局を備える移動通信システムにおける測定制御方法において、前記第２の基地局が、前記ユーザ装置に対する測定設定のために使用するパラメータを決定し、当該パラメータを含む測定指示情報を前記第１の基地局に送信する測定指示ステップと、前記測定指示情報を受信した前記第１の基地局が、当該測定指示情報に含まれるパラメータを設定した測定設定情報を作成し、当該測定設定情報を前記ユーザ装置に送信する測定設定ステップとを備える。【選択図】図７
2020022202.tif 000002
【特許請求の範囲】
【請求項１】
デュアルコネクティビティによりユーザ装置と通信を行う第１の基地局及び第２の基地局を備える移動通信システムにおける測定制御方法であって、
前記第２の基地局が、前記ユーザ装置に対する測定設定のために使用するパラメータを決定し、当該パラメータを含む測定指示情報を前記第１の基地局に送信する測定指示ステップと、
前記測定指示情報を受信した前記第１の基地局が、当該測定指示情報に含まれるパラメータを設定した測定設定情報を前記ユーザ装置に送信する測定設定ステップと備え、
前記測定設定情報は、ＰＳＣｅｌｌの測定結果に基づくイベントＡ３を含む
ことを特徴とする測定制御方法。
【請求項２】
前記測定指示ステップにおいて前記第１の基地局に送信される前記測定指示情報は、前記パラメータに関連するイベント種別を含む
ことを特徴とする請求項１に記載の測定制御方法。
【請求項３】
前記パラメータは、前記イベント種別に対応する閾値又はオフセットであることを特徴とする請求項２に記載の測定制御方法。
【請求項４】
前記測定設定は、前記第２の基地局配下のセル又は周辺セルに関する無線測定を行うための設定であり、前記パラメータは、前記第２の基地局配下のセル又は周辺セルに関連するパラメータである
ことを特徴とする請求項１ないし３のうちいずれか１項に記載の測定制御方法。
【請求項５】
デュアルコネクティビティによりユーザ装置と通信を行う第１の基地局及び第２の基地局を備える移動通信システムにおける測定制御方法であって、
前記第１の基地局が、前記第２の基地局配下のセル又は周辺セルに関する無線測定のためのパラメータを決定するパラメータ決定ステップと、
前記第１の基地局が、前記パラメータを設定した測定設定情報を前記ユーザ装置に送信する測定設定ステップとを備え、
前記測定設定情報は、ＰＳＣｅｌｌの測定結果に基づくイベントＡ３を含む
ことを特徴とする測定制御方法。
【請求項６】
前記第２の基地局が、前記パラメータを決定するために用いる情報を前記第１の基地局に送信する送信ステップを有し、
前記パラメータ決定ステップにおいて、前記第１の基地局は、前記第２の基地局から受信した情報を用いて前記パラメータを決定する
ことを特徴とする請求項５に記載の測定制御方法。
【請求項７】
前記測定設定ステップにおける前記測定設定情報は、測定対象を指定する測定オブジェクトと、報告方法を指定する報告設定情報と、当該測定オブジェクトと当該報告設定情報とを対応付ける測定ＩＤとを含む
ことを特徴とする請求項４ないし６のうちいずれか１項に記載の測定制御方法。
【請求項８】
前記第１の基地局は、当該第１の基地局配下のセルに関連するパラメータを設定した測定設定情報であって、前記測定ＩＤと異なる測定ＩＤを含む測定設定情報を作成し、前記ユーザ装置に送信する
ことを特徴とする請求項７に記載の測定制御方法。
【請求項９】
デュアルコネクティビティによりユーザ装置と通信を行う第１の基地局及び第２の基地局を備える移動通信システムにおける前記第１の基地局に相当する基地局であって、
前記第２の基地局から、前記ユーザ装置に対する測定設定のために使用するパラメータを含む測定指示情報を受信する手段と、
前記測定指示情報に含まれるパラメータを設定した測定設定情報を前記ユーザ装置に送信する手段とを備え、
前記測定設定情報は、ＰＳＣｅｌｌの測定結果に基づくイベントＡ３を含む
ことを特徴とする基地局。
【請求項１０】
デュアルコネクティビティによりユーザ装置と通信を行う第１の基地局及び第２の基地局を備える移動通信システムにおける前記第１の基地局に相当する基地局であって、
前記第２の基地局配下のセル又は周辺セルに関する無線測定のためのパラメータを決定する手段と、
前記パラメータを設定した測定設定情報を前記ユーザ装置に送信する手段とを備え、
前記測定設定情報は、ＰＳＣｅｌｌの測定結果に基づくイベントＡ３を含む
ことを特徴とする基地局。
【発明の詳細な説明】
【技術分野】
【０００１】
本発明は、移動通信システムにおいて、ユーザ装置ＵＥに対して測定設定（ｍｅａｓｕｒｅｍｅｎｔ  ｃｏｎｆｉｇｕｒａｔｉｏｎ）を行う技術に関連するものである。
【背景技術】
【０００２】
ＬＴＥシステムでは、複数のコンポーネントキャリア（以下、ＣＣ）を同時に使用して通信を可能とするキャリアアグリゲーション（以下、ＣＡ）が導入されている。図１に示すように、ＬＴＥのＲｅｌ−１０までのＣＡでは、同一基地局ｅＮＢ配下の複数のＣＣを用いて同時通信を行うことで高スループットを実現することが可能である。
【０００３】
一方、Ｒｅｌ−１２ではこれをさらに拡張し、異なる基地局ｅＮＢ配下のＣＣを用いて同時通信を行い、高スループットを実現するＤｕａｌ  ｃｏｎｎｅｃｔｉｖｉｔｙ（二重接続）が提案されている（非特許文献１）。つまり、Ｄｕａｌ  ｃｏｎｎｅｃｔｉｖｉｔｙでは、ＵＥは、２つの物理的に異なる基地局ｅＮＢの無線リソースを同時に使用して通信を行う。
【０００４】
Ｄｕａｌ  ｃｏｎｎｅｃｔｉｖｉｔｙは、ＣＡの一種であり、Ｉｎｔｅｒ  ｅＮＢ  ＣＡ（基地局間キャリアアグリゲーション）とも呼ばれ、Ｍａｓｔｅｒ−ｅＮＢ（ＭｅＮＢ）と、Ｓｅｃｏｎｄａｒｙ−ｅＮＢ（ＳｅＮＢ）が導入される。図２に、Ｄｕａｌ  ｃｏｎｎｅｃｔｉｖｉｔｙの例を示す。図２の例では、ＭｅＮＢがＣＣ＃１でユーザ装置ＵＥと通信を行い、ＳｅＮＢがＣＣ＃２でユーザ装置ＵＥと通信を行うことでＤｕａｌ  ｃｏｎｎｅｃｔｉｖｉｔｙを実現している。
【０００５】
Ｄｕａｌ  ｃｏｎｎｅｃｔｉｖｉｔｙにおいて、ＭｅＮＢ配下のセル（１つ又は複数）をＭＣＧ（Ｍａｓｔｅｒ  Ｃｅｌｌ  Ｇｒｏｕｐ、マスターセルグループ）、ＳｅＮＢ配下のセル（１つ又は複数）をＳＣＧ（Ｓｅｃｏｎｄａｒｙ  Ｃｅｌｌ  Ｇｒｏｕｐ、セカンダリセルグループ）と呼ぶ。
【先行技術文献】
【非特許文献】
【０００６】
【非特許文献１】３ＧＰＰ  ＴＲ  ３６．８４２  Ｖ１２．０．０  （２０１３−１２）
【非特許文献２】３ＧＰＰ  ＴＳ  ３６．３３１  Ｖ１２．１．０  （２０１４−０３）
【発明の概要】
【発明が解決しようとする課題】
【０００７】
ＣＡを適用した場合、モビリティに伴うハンドオーバとＣＣ追加、削除の観点で、測定（ｍｅａｓｕｒｅｍｅｎｔ）制御が行われる。測定制御において、ユーザ装置ＵＥは、ＣＣ毎にサービングセル（ｓｅｒｖｉｎｇ  ｃｅｌｌ）、周辺セル（ｎｅｉｇｈｂｏｒ  ｃｅｌｌ）のＲＳＲＰやＲＳＲＱ（これらを総称して受信品質と呼ぶことにする）を測定し、特定の条件（イベント）を満たした場合に、基地局ｅＮＢに報告することが可能となっている。
【０００８】
Ｄｕａｌ  ｃｏｎｎｅｃｔｉｖｉｔｙにおいては、例えば、ＳｅＮＢ（ＳＣＧ）の追加（ＳＣＧ  ａｄｄｉｔｉｏｎ）、ＳｅＮＢ（ＳＣＧ）の変更（ＳＣＧ  ｃｈａｎｇｅ）、ＳＣＧ内へのＳＣｅｌｌ追加、ＳＣＧからＳＣｅｌｌを削除、といったセルの設定制御動作が考えられる。ここで、ＳＣＧ  ａｄｄｉｔｉｏｎとは、ＭｅＮＢのみによりセルが形成されている状態から、ＳＣＧのセルを最初に追加することであり、最初に追加するＳＣＧのセルはＰＳＣｅｌｌ（Ｐｒｉｍａｒｙ  ＳＣｅｌｌ）と呼ばれる。なお、ＳＣＧ  ａｄｄｉｔｉｏｎの際には、ＭｅＮＢからベアラ（データ）をＳｅＮＢにオフロードする設定も行うことになる。
【０００９】
Ｄｕａｌ  Ｃｏｎｎｅｃｔｉｖｉｔｙではない従来のＣＡにおいて、例えばＳＣｅｌｌを追加する場合には、特定のイベントを用いて、ユーザ装置ＵＥが所定の閾値よりも受信品質の良い周辺セルを検出し、それを基地局ｅＮＢに報告することで、基地局ｅＮＢは当該セルをＳＣｅｌｌとして設定することができる。
【００１０】
上記のイベントには種々のものが規定されている（非特許文献２）が、従来のイベントは、基本的に１つの基地局ｅＮＢのサービングセル（ＣＡの場合ＰＣｅｌｌとＳＣｅｌｌ）についての各種パラメータ（オフセット、閾値等）を使用することが規定されているのみである。
【００１１】
しかし、Ｄｕａｌ  Ｃｏｎｎｅｃｔｉｖｉｔｙにおいては、ＭＣＧのセルの追加／削除／変更、ＳＣＧのセルの追加／削除／変更等、セルの設定制御が異なる複数の基地局で行われるので、１つの基地局を想定した従来のイベントを用いて測定設定を行った場合には、例えばＳＣＧにおいて適切にセルの追加／削除等を行えない可能性がある。例えば、イベントの閾値／オフセットとして、ＳｅＮＢ（ＳＣＧ）に関する閾値／オフセットをＭｅＮＢ（ＭＣＧ）に関する閾値／オフセットとは別に設定できることが望ましいが、従来の技術ではこのような設定を行うことができない。
【００１２】
本発明は上記の点に鑑みてなされたものであり、基地局間キャリアアグリゲーションによりユーザ装置と通信を行う第１の基地局及び第２の基地局を備える移動通信システムにおいて、ユーザ装置に対する測定設定を適切に行うことを可能とする技術を提供することを目的とする。
【課題を解決するための手段】
【００１３】
本発明の実施の形態によれば、デュアルコネクティビティによりユーザ装置と通信を行う第１の基地局及び第２の基地局を備える移動通信システムにおける測定制御方法であって、
前記第２の基地局が、前記ユーザ装置に対する測定設定のために使用するパラメータを決定し、当該パラメータを含む測定指示情報を前記第１の基地局に送信する測定指示ステップと、
前記測定指示情報を受信した前記第１の基地局が、当該測定指示情報に含まれるパラメータを設定した測定設定情報を前記ユーザ装置に送信する測定設定ステップと備え、
前記測定設定情報は、ＰＳＣｅｌｌの測定結果に基づくイベントＡ３を含む
ことを特徴とする測定制御方法が提供される。
【００１４】
また、本発明の実施の形態によれば、デュアルコネクティビティによりユーザ装置と通信を行う第１の基地局及び第２の基地局を備える移動通信システムにおける測定制御方法であって、
前記第１の基地局が、前記第２の基地局配下のセル又は周辺セルに関する無線測定のためのパラメータを決定するパラメータ決定ステップと、
前記第１の基地局が、前記パラメータを設定した測定設定情報を前記ユーザ装置に送信する測定設定ステップとを備え、
前記測定設定情報は、ＰＳＣｅｌｌの測定結果に基づくイベントＡ３を含む
ことを特徴とする測定制御方法が提供される。
【００１５】
また、本発明の実施の形態によれば、デュアルコネクティビティによりユーザ装置と通信を行う第１の基地局及び第２の基地局を備える移動通信システムにおける前記第１の基地局に相当する基地局であって、
前記第２の基地局から、前記ユーザ装置に対する測定設定のために使用するパラメータを含む測定指示情報を受信する手段と、
前記測定指示情報に含まれるパラメータを設定した測定設定情報を前記ユーザ装置に送信する手段とを備え、
前記測定設定情報は、ＰＳＣｅｌｌの測定結果に基づくイベントＡ３を含む
ことを特徴とする基地局が提供される。
【００１６】
また、本発明の実施の形態によれば、デュアルコネクティビティによりユーザ装置と通信を行う第１の基地局及び第２の基地局を備える移動通信システムにおける前記第１の基地局に相当する基地局であって、
前記第２の基地局配下のセル又は周辺セルに関する無線測定のためのパラメータを決定する手段と、
前記パラメータを設定した測定設定情報を前記ユーザ装置に送信する手段とを備え、
前記測定設定情報は、ＰＳＣｅｌｌの測定結果に基づくイベントＡ３を含む
ことを特徴とする基地局が提供される。
【発明の効果】
【００１７】
本発明の実施の形態によれば、基地局間キャリアアグリゲーションによりユーザ装置と通信を行う第１の基地局及び第２の基地局を備える移動通信システムにおいて、ユーザ装置に対する測定設定を適切に行うことが可能となる。
【図面の簡単な説明】
【００１８】
【図１】Ｒｅｌ−１０までのＣＡを示す図である。
【図２】Ｄｕａｌ  ｃｏｎｎｅｃｔｉｖｉｔｙの例を示す図である。
【図３】本発明の実施の形態に係る通信システムの構成図である。
【図４】本発明の実施の形態に係る通信システムの接続構成例１を示す図である。
【図５】本発明の実施の形態に係る通信システムの接続構成例２を示す図である。
【図６】測定設定（Ｍｅａｓｕｒｅｍｅｎｔ  Ｃｏｎｆｉｇｕｒａｔｉｏｎ）を説明するための図である。
【図７】通信システムの処理シーケンス例を示す図である。
【図８】本実施の形態におけるイベントＡ１を説明するための図である。
【図９】本実施の形態におけるイベントＡ２を説明するための図である。
【図１０】本実施の形態におけるイベントＡ４を説明するための図である。
【図１１】本実施の形態におけるイベントＡ６を説明するための図である。
【図１２】本実施の形態における新規イベントを説明するための図である。
【図１３】通信システムの処理シーケンスの他の例を示す図である。
【図１４】ＭｅＮＢ１０とＳｅＮＢ２０の機能構成図である。
【発明を実施するための形態】
【００１９】
以下、図面を参照して本発明の実施の形態を説明する。なお、以下で説明する実施の形態は一例に過ぎず、本発明が適用される実施の形態は、以下の実施の形態に限られるわけではない。また、本実施の形態では、ＬＴＥの移動通信システムを対象とするが、本発明はＬＴＥに限らず他の移動通信システムにも適用可能である。また、本明細書及び特許請求の範囲では、特に断らない限り、「ＬＴＥ」の用語は３ＧＰＰのＲｅｌ−１２、もしくは、Ｒｅｌ−１２以降の方式の意味で使用する。
【００２０】
（システムの全体構成、実施の形態の概要）
図３に、本発明の実施の形態に係る移動通信システムの全体構成図を示す。図３に示すように、本実施の形態の移動通信システムは、ＬＴＥのＥＰＣを構成するＭＭＥ３０、Ｓ−ＧＷ４０、及び、無線ネットワークを構成するＭｅＮＢ１０、ＳｅＮＢ２０を備える。また、ＵＥ５０は、ＭｅＮＢ１０、ＳｅＮＢ２０と通信することで、Ｄｕａｌ  Ｃｏｎｎｅｃｔｉｖｉｔｙ通信（基地局間キャリアアグリゲーション）が可能である。
【００２１】
ＭＭＥ３０と各ｅＮＢ間は、Ｓ１−ＭＭＥインタフェースにより接続することが可能である。なお、ＭＭＥ３０とＭｅＮＢ１０間のみＳ１−ＭＭＥインタフェースにより接続し、ＭＭＥ３０とＳｅＮＢ２０間ではＳ１−ＭＭＥインタフェースでの接続をしない構成としてもよい。Ｓ−ＧＷ４０と各ｅＮＢ間はＳ１−Ｕインタフェースにより接続することができる。
【００２２】
ＭＭＥ３０は、各ｅＮＢを収容し、ＵＥの移動管理、認証、ＵＥに設定するベアラ管理等を行うノード装置である。Ｓ−ＧＷ４０は、ユーザデータの伝送を行う在圏パケットゲートウェイ装置であり、各ｅＮＢと外部装置との間でユーザデータの中継を行うことができる。
【００２３】
ＭｅＮＢ１０、ＳｅＮＢ２０は、前述したように、Ｄｕａｌ  Ｃｏｎｎｅｃｔｉｖｉｔｙにおいて、マスターｅＮＢ、セカンダリｅＮＢとなる基地局である。なお、ＳｅＮＢ２０は複数であってもよい。ＵＥ５０は、ユーザが保持するユーザ装置であり、例えば携帯電話機、スマートフォン等である。
【００２４】
図４（接続構成例１）に示すように、Ｓ―ＧＷ４０はＭｅＮＢ１０とのみ接続する構成としてもよいし、図５（接続構成例２）に示すように、Ｓ―ＧＷ４０はＭｅＮＢ１０とＳｅＮＢ２０の両方に接続する構成としてもよい。図４の場合は、ＵＥ５０宛てのデータは、Ｓ−ＧＷ４０からＭｅＮＢ１０に送られ、当該データの一部がＵＥ５０に送信され、残りのデータがＳｅＮＢ２０に送られ、ＳｅＮＢ２０からＵＥ５０に送られる。図５の場合は、ＵＥ５０宛てのデータの一部がＳ−ＧＷ４０からＭｅＮＢ１０を経由してＵＥ５０に送られ、残りのデータがＳ−ＧＷ４０からＳｅＮＢ２０を経由してＵＥ５０に送られる。
【００２５】
例えば図４、図５に示すように、Ｄｕａｌ  Ｃｏｎｎｅｃｔｉｖｉｔｙにおいては、ＲＲＣプロトコルはＵＥ−ＭｅＮＢ間で終端されるため、測定設定情報（ｍｅａｓｕｒｅｍｅｎｔ  ｃｏｎｆｉｇｕｒａｔｉｏｎのための情報）を通知する等の機能を持つＲＲＣメッセージはＭｅＮＢ１０からしか送信できない。つまり、ＳｅＮＢ２０からＲＲＣメッセージを送信することはできない。
【００２６】
（測定設定について）
ＵＥ５０は、セルの下りリンクの受信品質を測定し、例えば特定のイベントに基づいて、測定結果を基地局（本実施の形態では例えばＭｅＮＢ１０）に報告することで、ＭｅＮＢ１０は、セルの追加、削除、変更等を行うことができる。ＵＥ５０が、どの周波数で何（ＲＳＲＰ，ＲＳＲＱ等）を測定し、どのような条件（イベント）をトリガとして、どのような情報を含む結果報告を行うか等についてのＵＥ５０に対する設定（測定設定）は、ＭｅＮＢ１０がＵＥ５０に対して、測定設定情報を含むＲＲＣメッセージ（例：ＲＲＣＣｏｎｎｅｃｔｉｏｎＲｅｃｏｎｆｉｇｕｒａｔｉｏｎ  ｍｅｓｓａｇｅ）を送信することにより行われる。
【００２７】
ここで、本発明の実施の形態を説明するにあたり、測定設定における基本的な事項を説明する（非特許文献２参照）。
【００２８】
ＲＲＣメッセージにより基地局からＵＥに送信される測定設定情報には、測定オブジェクト（Ｍｅａｓｕｒｅｍｅｎｔ  ｏｂｊｅｃｔ）、報告設定情報（Ｒｅｐｏｒｔｉｎｇ  ｃｏｎｆｉｇｕｒａｔｉｏｎ）、及び測定ＩＤ（Ｍｅａｓｕｒｅｍｅｎｔ  ｉｄｅｎｔｉｔｙ）が含まれる。
【００２９】
測定オブジェクトは、測定対象とする周波数（ＥＡＲＦＣＮ）、測定帯域幅等の測定すべき対象を含む。周波数に関し、測定オブジェクトは、１つの周波数のみを含む。
【００３０】
報告設定情報は、報告のトリガ（イベントベース、周期的等）、測定／報告量（ＲＳＲＰ、ＲＳＲＱ等）等を含む。
【００３１】
測定ＩＤは、測定オブジェクトと報告設定情報とを対応付けるＩＤである。図６に、測定ＩＤの対応付けの例を示す。図６に示すように、１つの測定オブジェクト（例：１つの周波数）を複数の報告設定情報（例：異なるイベントを設定する場合）に対応付けて、それぞれを測定ＩＤで識別することが可能である。
【００３２】
また、測定報告のトリガとなるイベントとしては、例えば、Ｉｎｔｒａ  ＥＵＴＲＡのイベントとしてイベントＡ１、イベントＡ２、イベントＡ３、イベントＡ４、イベントＡ５、イベントＡ６等があり、Ｉｎｔｅｒ  ＲＡＴのイベントとして、イベントＢ１、イベントＢ２等がある。既存のイベントの内容は、例えば非特許文献２に記載されている。
【００３３】
イベントの使用ケースの一例を、Ｒｅｌ−１０のＣＡにおけるハンドオーバ、ＳＣｅｌｌの追加／削除を例にとって説明する。
【００３４】
ＣＡを行うＵＥがハンドオーバ（ＰＣｅｌｌを切り替えること）を行う際には、例えばイベントＡ３が使用される。イベントＡ３は、周辺セル（Ｎｅｉｇｈｂｏｒ）の受信品質（ＲＳＲＰ及び／又はＲＳＲＱ）がＰＣｅｌｌの受信品質に対してオフセット分よりも良くなった場合に報告（測定報告）を行うイベントである。なお、測定対象とする周辺セルの周波数やオフセット等は、測定オブジェクトにおいて指定されている。また、測定報告には、例えば、測定ＩＤ、周辺セルのセルＩＤ、当該周辺セルの受信品質等が含まれる。測定報告を受けた基地局は、当該周辺セルをハンドオーバ対象セル（切り替え先のＰＣｅｌｌ）として管理する。
【００３５】
また、ＳＣｅｌｌの追加は、例えばイベントＡ４を使用して行われる。イベントＡ４は、周辺セルの受信品質が所定の閾値よりも良くなった場合に報告を行うイベントである。当該周辺セルは、ＰＣｅｌｌもしくはＳＣｅｌｌとして設定されているセル以外のセルであり、その周波数は例えば測定オブジェクトで指定される。また、所定の閾値は、報告設定情報で指定される。イベントＡ４に基づく測定報告には、例えば、イベントをトリガした周辺セルのＩＤと受信品質と測定ＩＤが含まれる。測定報告を受信した基地局は、当該周辺セルをＳＣｅｌｌとして追加することができる。
【００３６】
Ｓｃｅｌｌの削除は、例えばイベントＡ２を使用して行われる。イベントＡ２は、サービングセル（ＣＡで設定されてるＰＣｅｌｌとＳＣｅｌｌを含む）の受信品質が、所定の閾値よりも悪化した場合に報告を行うイベントである。サービングセルの周波数は、測定オブジェクトにより指定される。また、所定の閾値は、報告設定情報で指定される。イベントＡ２に基づく測定報告には、例えば、イベントをトリガしたサービングセルのＩＤと受信品質と測定ＩＤが含まれる。測定報告を受信した基地局は、当該サービングセル（ＳＣｅｌｌを想定）を削除することができる。
【００３７】
更に、ＳＣｅｌｌの変更は、例えばイベントＡ６を使用して行われる。イベントＡ６は、ＳＣｅｌｌと同じ周波数の周辺セルの受信品質が所定のオフセット分よりも大きく当該ＳＣｅｌｌの受信品質より良くなった場合に報告を行うイベントである。
【００３８】
周辺セルの周波数は、測定オブジェクトにより指定される。また、所定のオフセットは、例えば測定オブジェクトで指定される。イベントＡ６に基づく測定報告には、例えば、イベントをトリガした周辺セルのＩＤと受信品質と測定ＩＤが含まれる。測定報告を受信した基地局は、当該ＳＣｅｌｌのセルを当該周辺セルに変更することができる。
【００３９】
（本発明の実施の形態における処理の流れ）
前述したように、既存の測定制御に係るイベントのオフセットや閾値等のパラメータは、１つの基地局によるＣＡを想定しており、ＭｅＮＢ１０とＳｅＮＢ２０を用いるＤｕａｌ  Ｃｏｎｎｅｃｔｉｖｉｔｙの移動通信システムを想定していないため、特にＳＣＧにおけるセルの追加／削除等に関して適切な制御を行えない可能性があったところ、本実施の形態では、以下のような処理を行うことでこの課題を解決している。
【００４０】
すなわち、本実施の形態では、ＳｅＮＢ２０がＳＣＧ関連の閾値等のパラメータを決定し、ＳｅＮＢ２０からＭｅＮＢ１０にＸ２インターフェースを用いて当該パラメータを通知する。そして、ＭｅＮＢ１０は、ＲＲＣメッセージを用いて、ＵＥ５０に対して上記のパラメータを設定したイベントの測定設定（Ｍｅａｓｕｒｅｍｅｎｔ  ｃｏｎｆｉｇｕｒａｔｉｏｎ）を行う。ＲＲＣメッセージは、ＭｅＮＢ１０からしか送信できないため、このような処理を行うこととしている。
【００４１】
図７を参照して本実施の形態に係る処理シーケンス例を示す。本実施の形態では、ＭＣＧに関連するパラメータ（例：ＭＣＧのセルに関する閾値、オフセット等）をＭｅＮＢ１０が決定する（ステップ１０１）。そして、ＭｅＮＢ１０は、当該パラメータ及び対応するイベント等を設定した測定設定情報（ＲＲＣメッセージ）をＵＥ５０に送信することで測定設定を行う（ステップ１０２）。図７の例では、測定ＩＤ＃１、＃２、＃３により識別される測定設定情報がＵＥ５０に通知されている。
【００４２】
一方、ステップ１０３において、ＳｅＮＢ２０がＳＣＧに関連するパラメータ（例：ＳＣＧのセルに関する閾値、オフセット等）を決定し、パラメータと、当該パラメータに対応するイベント等をＭｅＮＢ１０に送信する（ステップ１０４）。ＳｅＮＢ２０からＭｅＮＢ１０に送信する情報は、ＭｅＮＢ１０が、ＵＥ５０に対してＳＣＧ関連の測定設定を行うために必要な情報である。
【００４３】
ステップ１０４でＳｅＮＢ２０から送信された情報を受信したＭｅＮＢ１０は、当該情報を設定した測定設定情報（ＲＲＣメッセージ）をＵＥ５０に送信することで測定設定を行う（ステップ１０５）。図７の例では、測定ＩＤ＃４、＃５、＃６により識別される測定設定情報がＵＥ５０に通知されている。この例において、測定ＩＤ＃４、及び測定ＩＤ＃６の測定設定情報におけるイベントは、その意味内容は既存イベントと同じであるが、使用するパラメータ（閾値、オフセット等）が、ＳＣＧ関連としてＳｅＮＢ２０により決定されたものであり、この点で既存のイベントとは異なる。これらの閾値、オフセット等は、通常のＣＡにおける同じイベントの閾値、オフセット等とは異なるように設定することができる。また、測定ＩＤ＃５の測定設定情報は、既存イベントとは異なる新規イベントを含んでいる。
【００４４】
上記のステップ１０１とステップ１０３において、ＭｅＮＢ１０とＳｅＮＢ２０はそれぞれ、自身の配下の各セル（ＰＣｅｌｌ、ＰＳＣｅｌｌ、ＳＣｅｌｌ等）における負荷情報（Ｌｏａｄ  Ｉｎｆｏｒｍａｔｉｏｎ）に基づいてパラメータを決定することができる。負荷情報は、例えば、物理リソースブロック（ＰＲＢ）の使用率（Ｕｓａｇｅ）、各チャネル（例：各ＣＣ、各サブキャリア、各ＰＲＢ）の干渉量等である。各ｅＮＢは、当該負荷情報を、ＵＥへのリソース割り当て情報、周辺セルから受信する信号の強度、ＵＥからの品質情報等から得ることができる。なお、負荷情報は例であり、他の情報を用いてパラメータを決定してもよい。
【００４５】
一例として、ＭｅＮＢ１０／ＳｅＮＢ２０は、自身の配下のＳＣｅｌｌの干渉量が大きい場合（例：閾値より大きい場合）に、当該ＳＣｅｌｌに関連させるイベントＡ６におけるオフセットを、干渉量が大きくない場合より、小さく設定する。つまり、使用中のＳＣｅｌｌに対する干渉量が大きい場合は、周辺セルの受信品質が、ＳＣｅｌｌの受信品質と比べて少しだけ高い場合でもＳＣｅｌｌの変更を行うといった制御を実現できる。
【００４６】
なお、上記の例に示すＭＣＧ関連の測定設定とＳＣＧ関連の測定設定の順番は一例にすぎず、これらが逆であってもよい。また、ＳｅＮＢ２０からＭｅＮＢ１０に送信する情報に関連イベントの情報を含めないこととしてもよい。その場合、ＭｅＮＢ１０は、例えば、パラメータの内容から関連イベントを決定する。
【００４７】
以下、本実施の形態における、ＳＣＧ関連のイベントの例を説明する。以下で説明する例はＭＣＧ関連のイベントにもそのまま適用可能である。閾値やオフセット等のパラメータをＭＣＧ用に設定すればよい。また、ＭＣＧ関連のイベントについては、既存のイベント及びパラメータを使用することとしてもよい。また、以下では、パラメータの例として閾値とオフセットを示しているが、他のパラメータについても同様にＳＣＧ用に決定し、設定を行うことが可能である。また、以下で説明するイベントは一例であり、他のイベントについてもＳＣＧ用（又はＭＣＧ用）に決定し、設定を行うことが可能である。
【００４８】
（既存イベントを用いる例）
まず、イベント自体の意味内容は既存のままとし、閾値等のパラメータをＳＣＧ用に設定する例を説明する。
【００４９】
＜イベントＡ１：Serving becomes better than threshold-scg＞
イベントＡ１は、サービングセル（ＭＣＧ、ＳＣＧでそれぞれで設定されているＣＡのＰＣｅｌｌとＳＣｅｌｌを含む）の受信品質が、所定の閾値よりも良くなった場合に報告を行うイベントである。本実施の形態では、この閾値を、ＳｅＮＢ２０が決定し、イベントＡ１用の閾値（ｔｈｒｅｓｈｏｌｄ−ｓｃｇ）としてＭｅＮＢ１０に通知する。ＭｅＮＢ１０は、当該閾値、測定対象となる周波数、及びトリガ種別としてのイベントＡ１を含む測定設定情報をＵＥ５０に送信する。測定対象となる周波数は、ＭｅＮＢ１０で決めてもよいし、ＳｅＮＢ２０からＭｅＮＢ１０に対して閾値とともにパラメータとして通知されてもよい。
【００５０】
当該イベントＡ１の適用例を図８を使用して説明する。なお、図８〜図１２における各「セル」は、ＴＤＤであれば上下リンクを構成するＣＣ、ＦＤＤであれば下りリンクを構成するＣＣと同義と考えてよい。
【００５１】
図８に示すように、周波数ｆ１のＣＣでＭＣＧのＰＣｅｌｌが構成され、周波数ｆ２のＣＣでＳＣＧのＰＳＣｅｌｌ（ＳＣＧの中の最初に形成されたセル）が構成され、周波数ｆ３のＣＣでＳＣＧのＳＣｅｌｌ（ＳＣＧの中のＰＳＣｅｌｌ以外のセル）が構成され、Ｄｕａｌ  Ｃｏｎｎｅｃｔｉｖｉｔｙが行われているとする。
【００５２】
イベントＡ１の測定設定情報（周波数ｆ３が測定オブジェクトで指定されている）を受信したＵＥ５０は、周波数ｆ３のＳＣｅｌｌ（ＳＣＧ）の受信品質が閾値よりも良くなったので、当該セルをＭｅＮＢ１０に報告し、ＭｅＮＢ１０が、ＰＳＣｅｌｌを周波数ｆ３のＣＣで構成するように変更することを決定し、ＳｅＭＢ２０への指示等の変更処理を行う。
【００５３】
＜イベントＡ２：Serving becomes worse than threshold-scg＞
イベントＡ２は、サービングセル（ＭＣＧ、ＳＣＧでそれぞれで設定されているＣＡのＰＣｅｌｌとＳＣｅｌｌを含む）の受信品質が、所定の閾値よりも悪くなった場合に報告を行うイベントである。本実施の形態では、この閾値を、ＳｅＮＢ２０が決定し、イベントＡ２用の閾値（ｔｈｒｅｓｈｏｌｄ−ｓｃｇ）としてＭｅＮＢ１０に通知する。ＭｅＮＢ１０は、当該閾値、測定対象となる周波数、及びトリガ種別としてのイベントＡ２を含む測定設定情報をＵＥ５０に送信する。測定対象となる周波数は、ＭｅＮＢ１０で決めてもよいし、ＳｅＮＢ２０からＭｅＮＢ１０に対して閾値とともにパラメータとして通知されてもよい。
【００５４】
当該イベントＡ２の適用例を図９を使用して説明する。イベントＡ２の測定設定情報（周波数ｆ３が測定オブジェクトで指定されている）を受信したＵＥ５０は、周波数ｆ３のＳＣｅｌｌ（ＳＣＧ）の受信品質が閾値よりも悪くなったので、当該セルをＭｅＮＢ１０に報告し、ＭｅＮＢ１０が、当該ＳＣｅｌｌを削除すると決定し、ＳｅＭＢ２０への指示等の削除処理を行う。
【００５５】
＜イベントＡ４：Neighbor becomes better than threshold-scg＞
イベントＡ４は、周辺セルの受信品質が所定の閾値よりも良くなった場合に報告を行うイベントである。本実施の形態では、この閾値を、ＳｅＮＢ２０が決定し、イベントＡ４用の閾値（ｔｈｒｅｓｈｏｌｄ−ｓｃｇ）としてＭｅＮＢ１０に通知する。ＭｅＮＢ１０は、当該閾値、測定対象となる周波数、及びトリガ種別としてのイベントＡ４を含む測定設定情報をＵＥ５０に送信する。測定対象となる周波数は、ＭｅＮＢ１０で決めてもよいし、ＳｅＮＢ２０からＭｅＮＢ１０に対して閾値とともにパラメータとして通知されてもよい。
【００５６】
当該イベントＡ４の適用例を図１０を使用して説明する。図１０に示すように、周波数ｆ１のＣＣでＭＣＧのＰＣｅｌｌが構成され、周波数ｆ２のＣＣでＳＣＧのＰＳＣｅｌｌが構成され、Ｄｕａｌ  Ｃｏｎｎｅｃｔｉｖｉｔｙが行われている。また、周波数ｆ３のＣＣによるセルＡが存在するが、最初、セルＡはＤｕａｌ  Ｃｏｎｎｅｃｔｉｖｉｔｙに係るＣＡを構成しないセルであるものとする。
【００５７】
イベントＡ４の測定設定情報（周波数ｆ３が測定オブジェクトで指定されている）を受信したＵＥ５０は、周波数ｆ３のセルＡの受信品質が閾値よりも良くなったので、当該セルをＭｅＮＢ１０に報告し、ＭｅＮＢ１０が、セルＡをＳＣＧのＳＣｅｌｌとして追加することを決定し、ＳｅＭＢ２０への指示等の追加処理を行う。
【００５８】
＜イベントＡ６：Neighbor becomes offset-scg better (SCG) SCell＞
イベントＡ６は、ＳＣｅｌｌと同じ周波数の周辺セルの受信品質が所定のオフセット分だけ当該ＳＣｅｌｌの受信品質よりも良くなった場合に報告を行うイベントである。本実施の形態では、このオフセットを、ＳｅＮＢ２０が決定し、イベントＡ６用のオフセット（ｏｆｆｓｅｔ−ｓｃｇ）としてＭｅＮＢ１０に通知する。ＭｅＮＢ１０は、当該オフセット、測定対象となる周波数、及びトリガ種別としてのイベントＡ６を含む測定設定情報をＵＥ５０に送信する。測定対象となる周波数は、ＭｅＮＢ１０で決めてもよいし、ＳｅＮＢ２０からＭｅＮＢ１０に対してオフセットとともにパラメータとして通知されてもよい。
【００５９】
当該イベントＡ６の適用例を図１１を使用して説明する。図１１に示すように、周波数ｆ１のＣＣでＭＣＧのＰＣｅｌｌが構成され、周波数ｆ２のＣＣでＳＣＧのＰＳＣｅｌｌが構成され、Ｄｕａｌ  Ｃｏｎｎｅｃｔｉｖｉｔｙが行われている。また、周波数ｆ３のＣＣによるセルＢが存在するが、最初、セルＢはＤｕａｌ  Ｃｏｎｎｅｃｔｉｖｉｔｙに係るＣＡを構成しないセルであるものとする。
【００６０】
イベントＡ６の測定設定情報（周波数ｆ３が測定オブジェクトで指定されている）を受信したＵＥ５０は、周波数ｆ３のセルＢの受信品質が、ＳＣｅｌｌ（周波数ｆ３）の受信品質よりもオフセット分だけ良くなったので、当該セルＢをＭｅＮＢ１０に報告し、ＭｅＮＢ１０が、セルＢを、既存のＳＣｅｌｌに代えて使用することを決定し、ＳｅＮＢ２０への指示等の変更処理を行う。
【００６１】
（新規イベント：Neighbor becomes offset-scg better than PSCellを用いる例）
次に、新規イベントとして、既存のイベントＡ３に類似したイベントを定義して用いる例を説明する。
【００６２】
既存のイベントＡ３は、周辺セルの受信品質がＰＣｅｌｌの受信品質に対してオフセット分よりも良くなった場合に報告を行うイベントであるが、「ＰＣｅｌｌ」が定義に使用されているため、ＳｅＮＢ２０により形成されるＰＳＣｅｌｌに関する測定のイベントとして使用することができない。
【００６３】
そこで、本実施の形態では、周辺セルの受信品質がＰＳＣｅｌｌの受信品質に対してオフセット分よりも良くなった場合に報告を行う新規イベント（Neighbor becomes offset-scg better than PSCell）を導入する。
【００６４】
本実施の形態では、この上記オフセットを、ＳｅＮＢ２０が決定し、新規イベント用のオフセット（ｏｆｆｓｅｔ−ｓｃｇ）としてＭｅＮＢ１０に通知する。ＭｅＮＢ１０は、当該オフセット、測定対象となる周波数、及びトリガ種別としての当該「新規イベント」を含む測定設定情報をＵＥ５０に送信する。測定対象となる周波数は、ＭｅＮＢ１０で決めてもよいし、ＳｅＮＢ２０からＭｅＮＢ１０に対してオフセットとともにパラメータとして通知されてもよい。
【００６５】
当該新規イベントの適用例を図１２を使用して説明する。図１２に示すように、周波数ｆ１のＣＣでＭＣＧのＰＣｅｌｌが構成され、周波数ｆ２のＣＣでＳＣＧのＰＳＣｅｌｌが構成され、Ｄｕａｌ  Ｃｏｎｎｅｃｔｉｖｉｔｙが行われている。また、周波数ｆ３のＣＣによるセルＣが存在するが、最初、セルＣはＤｕａｌ  Ｃｏｎｎｅｃｔｉｖｉｔｙに係るＣＡを構成しないセルであるものとする。
【００６６】
新規イベントの測定設定情報（周波数ｆ３が測定オブジェクトで指定されている）を受信したＵＥ５０は、周波数ｆ３のセルＣの受信品質が、ＰＳＣｅｌｌの受信品質よりもオフセット分だけ良くなったので、当該セルＣをＭｅＮＢ１０に報告し、ＭｅＮＢ１０が、セルＣを、既存のＰＳＣｅｌｌに代えてＰＳＣｅｌｌとして使用することを決定し、ＳｅＭＢ２０への指示等の変更処理（ＳＣＧでのハンドオーバ）を行う。
【００６７】
（他の処理シーケンス例）
これまで、ＳｅＮＢ２０がＳＣＧ関連のパラメータを決定し、それをＭｅＮＢ１０に通知する例について説明したが、ＳｅＮＢ２０が、ＳＣＧ関連のパラメータを決定するために必要な情報をＭｅＮＢ１０に送信し、ＭｅＮＢ１０がＳＣＧ関連のパラメータを決定することとしてもよい。図１３にその場合における処理シーケンス例を示す。図１３の場合において、パラメータの決定方法やイベントの内容、測定設定情報の内容等はこれまでに説明したものと同じである。
【００６８】
図１３の例において、ステップ２０１、２０２は図７に示したステップ１０１、１０２と同じである。
【００６９】
ステップ２０３において、ＳｅＮＢ２０がパラメータを決定するために必要なＳＣＧの各セルにおける負荷情報（例：ＰＲＢ使用率、干渉情報）をＸ２インターフェースを介してＭｅＮＢ１０に送信する。ＭｅＮＢ１０は、受信した負荷情報に基づいて、ＵＥ５０に適用するイベントで用いるパラメータを決定し（ステップ２０４）、当該パラメータを設定した測定設定情報をＵＥ５０に送信する（ステップ２０５）。
【００７０】
なお、ＭｅＮＢ１０は、ＳｅＮＢ２０から負荷情報等を受信することなく、ＳＣＧ関連のパラメータを決定し、当該パラメータを設定した測定設定情報を作成することとしてもよい。その場合、例えば、ＳＣＧ関連のパラメータとして予め定めた値を使用することができる。
【００７１】
（装置構成）
図１４に、本実施の形態に係るＭｅＮＢ１０とＳｅＮＢ２０の機能構成図を示す。図１４に示すように、ＭｅＮＢ１０は、ＵＬ信号受信部１１、ＤＬ信号送信部１２、測定制御部１３、ＣＡ制御部１４、基地局間通信部１５を備える。
【００７２】
ＵＬ信号受信部１１はＵＥ５０から信号を受信し、ＤＬ信号送信部１２はＵＥ５０へ信号を送信する。測定制御部１３は、ＭＣＧ関連のパラメータを決定し、ＭＣＧ関連の測定制御情報を作成してＤＬ信号送信部１２から送信するとともに、ＳｅＮＢ２０から受信する情報（閾値、オフセット等のパラメータ、関連イベント等）を用いて、ＳＣＧ関連の測定制御情報を作成してＤＬ信号送信部１２から送信する機能を有する。また、測定制御部１３は、ＳｅＮＢ２０からＳＣＧ関連のパラメータ決定のために必要な負荷情報を受信し、負荷情報を用いてＳＣＧ関連のパラメータを決定し、ＳＣＧ関連の測定制御情報を作成してＤＬ信号送信部１２から送信する機能を有してもよい。なお、前述したとおり、負荷情報を用いることは必須ではない。また、測定制御部１３は、ＵＥ５０から測定報告を受信し、ＣＡ制御部１４に渡す機能も有する。
【００７３】
ＣＡ制御部１４は、測定報告等に基づいて、ＭＣＧとＳＣＧに関わるセルの追加、削除、変更、管理等を行うとともに、Ｄｕａｌ  Ｃｏｎｎｅｃｔｉｖｉｔｙに必要な制御をＳｅＮＢ２０との間で行う。基地局間通信部１５は、ＳｅＮＢ２０との間でＸ２インターフェースを使用した通信を行う。
【００７４】
図１４に示すように、ＳｅＮＢ２０は、ＵＬ信号受信部２１、ＤＬ信号送信部２２、送信用情報決定部２３、ＣＡ制御部２４、基地局間通信部２５を備える。
【００７５】
ＵＬ信号受信部２１はＵＥ５０から信号を受信し、ＤＬ信号送信部２２はＵＥ５０へ信号を送信する。送信用情報決定部２３は、ＳＣＧ関連の測定制御に用いる情報（閾値、オフセット等のパラメータ、関連イベント等）を決定し、ＭｅＮＢ１０に送信する機能を備える。閾値やオフセット等のパラメータは、例えば、予め定めた値を使用してもよいし、前述したように、セルの負荷情報等に基づいて決めることとしてもよい。予め定めた値を使用する場合においては、例えば、イベント毎にパラメータが記憶手段に格納されており、使用するイベントに対応するパラメータを選択（決定）し、記憶手段から読み出す。
【００７６】
また、送信用情報決定部２３は、ＳＣＧ関連のイベントのパラメータ決定のために必要な負荷情報を取得（決定）し、当該負荷情報をＭｅＮＢ１０に送信する機能を有してもよい。
【００７７】
ＣＡ制御部２４は、例えば、ＭｅＮＢ１０からの指示に基づいてＳＣＧに関わるセルの追加、削除、変更、管理等を行うとともに、Ｄｕａｌ  Ｃｏｎｎｅｃｔｉｖｉｔｙに必要な制御をＭｅＮＢ１０との間で行う。基地局間通信部２５は、ＭｅＮＢ１０との間でＸ２インターフェースを使用した通信を行う。
【００７８】
図１４に示す構成に基づいて、図７に示したシーケンスのステップ１０３〜１０５に相当する動作を説明する。
【００７９】
ＳｅＮＢ２０は、ＣＡ制御部２４によりＳＣＧ（ＣＡを構成する複数セル）を構成している。ＳｅＮＢ２０の送信用情報決定部２３は、所定の契機（例：定期的、セルのＣＱＩ等の品質等）により、当該契機で行うべきＳＣＧ関連の測定制御のための情報（閾値、オフセット等のパラメータ、関連イベント等）を決定し、当該情報を基地局間通信部２５を介してＭｅＮＢ１０に通知する。なお、当該情報に基づいて測定設定情報の作成、送信がなされることから、当該情報を測定指示と呼んでもよい。
【００８０】
基地局間通信部１５により当該情報を受信したＭｅＮＢ１０における測定制御部１３は、受信した情報に含まれるイベントに対応する１つ又は複数の測定設定情報（測定オブジェクト、測定報告情報、測定ＩＤを含む）を作成し、ＤＬ信号送信部１２により、ＲＲＣメッセージとしてＵＥ５０に送信する。
【００８１】
次に、図１４に示す構成に基づいて、図１３に示したシーケンスのステップ２０３〜２０５に相当する動作を説明する。
【００８２】
ＳｅＮＢ２０は、ＣＡ制御部２４によりＳＣＧ（ＣＡを構成する複数セル）を構成している。ＳｅＮＢ２０の送信用情報決定部２３は、所定の契機により、当該契機で行うべきＳＣＧ関連の測定制御のためのパラメータ決定に必要な負荷情報を取得し、当該負荷情報を基地局間通信部２５を介してＭｅＮＢ１０に通知する。
【００８３】
基地局間通信部１５により当該負荷情報を受信したＭｅＮＢ１０における測定制御部１３は、受信した負荷情報に基づいて、ＵＥ５０に適用するイベントに関連するパラメータを決定し、１つ又は複数の測定設定情報（測定オブジェクト、測定報告情報、測定ＩＤを含む）を作成し、ＤＬ信号送信部１２により、ＲＲＣメッセージとしてＵＥ５０に送信する。
【００８４】
なお、図１４には、ＭｅＮＢ１０とＳｅＮＢ２０を異なる構成の基地局として示しているが、ＭｅＮＢ１０とＳｅＮＢ２０の両方の機能を含む基地局を提供してもよい。そのような基地局は、ＭｅＮＢ１０として使用してもよいし、ＳｅＮＢ２０として使用してもよい。
【００８５】
本実施の形態で説明した基地局は、ＣＰＵとメモリを備え、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在した構成であってもよい。
【００８６】
以上、説明したように、本実施の形態では、基地局間キャリアアグリゲーションによりユーザ装置と通信を行う第１の基地局及び第２の基地局を備える移動通信システムにおける測定制御方法であって、前記第２の基地局が、前記ユーザ装置に対する測定設定のために使用するパラメータを決定し、当該パラメータを含む測定指示情報を前記第１の基地局に送信する測定指示ステップと、前記測定指示情報を受信した前記第１の基地局が、当該測定指示情報に含まれるパラメータを設定した測定設定情報を作成し、当該測定設定情報を前記ユーザ装置に送信する測定設定ステップとを備える測定制御方法が提供される。
【００８７】
このような構成により、例えば、ＳｅＮＢである第２の基地局はＳＣＧ関連のパラメータを決定し、そのパラメータを設定した測定設定情報をユーザ装置に送ることができるため、基地局間キャリアアグリゲーションによりユーザ装置と通信を行う第１の基地局及び第２の基地局を備える移動通信システムにおいて、ユーザ装置に対する測定設定を適切に行うことが可能となる。
【００８８】
前記測定指示ステップにおいて前記第１の基地局に送信される前記測定指示情報は、前記パラメータに関連するイベント種別を含む。この構成により、第１の基地局は、特定のイベントに対応するパラメータを容易に測定設定情報に設定し、送信することができる。
【００８９】
前記パラメータは、例えば、前記イベント種別に対応する閾値又はオフセットである。閾値やオフセットは、ＬＴＥで規定されているイベントや、新規のイベントで頻繁に使用されるパラメータであり、本構成によって、ユーザ装置に対し、測定における閾値又はオフセットを適切に設定できる。
【００９０】
前記測定設定は、例えば、前記第２の基地局配下のセル又は周辺セルに関する無線測定を行うための設定であり、前記パラメータは、前記第２の基地局配下のセル又は周辺セルに関連するパラメータである。この周辺セルは、第２の基地局配下のセルの周辺（ｎｅｉｇｈｂｏｒ）セルであるが、それに限られない。この構成により、第２の基地局により形成されるセルに関連するパラメータを含む測定設定情報を第１の基地局から送信でき、例えば、ＭＣＧとＳＣＧの測定条件の違いを考慮した測定設定を適切に行うことが可能となる。
【００９１】
また、本実施の形態により、基地局間キャリアアグリゲーションによりユーザ装置と通信を行う第１の基地局及び第２の基地局を備える移動通信システムにおける測定制御方法であって、前記第１の基地局が、前記第２の基地局配下のセル又は周辺セルに関する無線測定のためのパラメータを決定するパラメータ決定ステップと、前記第１の基地局が、前記パラメータを設定した測定設定情報を作成し、当該測定設定情報を前記ユーザ装置に送信する測定設定ステップとを備える測定制御方法が提供される。この構成により、基地局間キャリアアグリゲーションによりユーザ装置と通信を行う第１の基地局及び第２の基地局を備える移動通信システムにおいて、ユーザ装置に対する測定設定を適切に行うことが可能となる。
【００９２】
上記の構成において、前記第２の基地局が、前記パラメータを決定するために用いる情報を前記第１の基地局に送信する送信ステップを有し、前記パラメータ決定ステップにおいて、前記第１の基地局は、前記第２の基地局から受信した情報を用いて前記パラメータを決定するようにしてもよい。この構成により、第１の基地局は、第２の基地局におけるセルの状態を考慮して、より適切なパラメータを設定できる。
【００９３】
また、前記測定設定ステップにおいて前記第１の基地局が作成する測定設定情報は、測定対象を指定する測定オブジェクトと、報告方法を指定する報告設定情報と、当該測定オブジェクトと当該報告設定情報とを対応付ける測定ＩＤとを含むように構成することができる。このように、測定オブジェクトと報告設定情報とを対応付ける測定ＩＤを用いることで、同じ測定オブジェクト（周波数等）を、異なる報告設定情報（異なるイベント等）に用いる場合においても、各測定設定情報を測定ＩＤにより明確に識別できる。
【００９４】
また、前記第１の基地局は、当該第１の基地局により形成されるセルに関連するパラメータを設定した測定設定情報であって、前記測定ＩＤと異なる測定ＩＤを含む測定設定情報を作成し、前記ユーザ装置に送信することもできる。このように、前記測定ＩＤと異なる測定ＩＤを含む測定設定情報を作成するように構成したため、測定ＩＤを含む測定報告を受信した基地局は、測定ＩＤにより、例えば、その報告がＭＣＧ関連なのか、それともＳＣＧ関連なのかを判断できる。
【００９５】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、基地局は機能的なブロック図を用いて説明されたが、そのような装置はハードウェアで、ソフトウェアで又はそれらの組み合わせで実現されてもよい。本発明の実施の形態に従って、基地局が有するプロセッサにより動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【００９６】
本国際特許出願は２０１４年４月９日に出願した日本国特許出願第２０１４−０８０５８５号に基づきその優先権を主張するものであり、日本国特許出願第２０１４−０８０５８５号の全内容を本願に援用する。
【００９７】
＜付記＞
（第１項）
基地局間キャリアアグリゲーションによりユーザ装置と通信を行う第１の基地局及び第２の基地局を備える移動通信システムにおける測定制御方法であって、
前記第２の基地局が、前記ユーザ装置に対する測定設定のために使用するパラメータを決定し、当該パラメータを含む測定指示情報を前記第１の基地局に送信する測定指示ステップと、
前記測定指示情報を受信した前記第１の基地局が、当該測定指示情報に含まれるパラメータを設定した測定設定情報を作成し、当該測定設定情報を前記ユーザ装置に送信する測定設定ステップと
を備えることを特徴とする測定制御方法。
（第２項）
前記測定指示ステップにおいて前記第１の基地局に送信される前記測定指示情報は、前記パラメータに関連するイベント種別を含む
ことを特徴とする第１項に記載の測定制御方法。
（第３項）
前記パラメータは、前記イベント種別に対応する閾値又はオフセットであることを特徴とする第２項に記載の測定制御方法。
（第４項）
前記測定設定は、前記第２の基地局配下のセル又は周辺セルに関する無線測定を行うための設定であり、前記パラメータは、前記第２の基地局配下のセル又は周辺セルに関連するパラメータである
ことを特徴とする第１項ないし第３項のうちいずれか１項に記載の測定制御方法。
（第５項）
基地局間キャリアアグリゲーションによりユーザ装置と通信を行う第１の基地局及び第２の基地局を備える移動通信システムにおける測定制御方法であって、
前記第１の基地局が、前記第２の基地局配下のセル又は周辺セルに関する無線測定のためのパラメータを決定するパラメータ決定ステップと、
前記第１の基地局が、前記パラメータを設定した測定設定情報を作成し、当該測定設定情報を前記ユーザ装置に送信する測定設定ステップと
を備えることを特徴とする測定制御方法。
（第６項）
前記第２の基地局が、前記パラメータを決定するために用いる情報を前記第１の基地局に送信する送信ステップを有し、
前記パラメータ決定ステップにおいて、前記第１の基地局は、前記第２の基地局から受信した情報を用いて前記パラメータを決定する
ことを特徴とする第５項に記載の測定制御方法。
（第７項）
前記測定設定ステップにおいて前記第１の基地局が作成する測定設定情報は、測定対象を指定する測定オブジェクトと、報告方法を指定する報告設定情報と、当該測定オブジェクトと当該報告設定情報とを対応付ける測定ＩＤとを含む
ことを特徴とする第４項ないし第６項のうちいずれか１項に記載の測定制御方法。
（第８項）
前記第１の基地局は、当該第１の基地局配下のセルに関連するパラメータを設定した測定設定情報であって、前記測定ＩＤと異なる測定ＩＤを含む測定設定情報を作成し、前記ユーザ装置に送信する
ことを特徴とする第７項に記載の測定制御方法。
（第９項）
基地局間キャリアアグリゲーションによりユーザ装置と通信を行う第１の基地局及び第２の基地局を備える移動通信システムにおける前記第１の基地局に相当する基地局であって、
前記第２の基地局から、前記ユーザ装置に対する測定設定のために使用するパラメータを含む測定指示情報を受信する手段と、
前記測定指示情報に含まれるパラメータを設定した測定設定情報を作成し、前記ユーザ装置に送信する手段と
を備えることを特徴とする基地局。
（第１０項）
基地局間キャリアアグリゲーションによりユーザ装置と通信を行う第１の基地局及び第２の基地局を備える移動通信システムにおける前記第１の基地局に相当する基地局であって、
前記第２の基地局配下のセル又は周辺セルに関する無線測定のためのパラメータを決定する手段と、
前記パラメータを設定した測定設定情報を作成し、当該測定設定情報を前記ユーザ装置に送信する手段と
を備えることを特徴とする基地局。
【符号の説明】
【００９８】
ＭｅＮＢ、ＳｅＮＢ  基地局
ＵＥ  ユーザ装置
１１  ＵＬ信号受信部
１２  ＤＬ信号送信部
１３  測定制御部
１４  ＣＡ制御部
１５  基地局間通信部
２１  ＵＬ信号受信部
２２  ＤＬ信号送信部
２３  送信用情報決定部
２４  ＣＡ制御部
２５  基地局間通信部
【図１】
2020022202.tif 000003
【図２】
2020022202.tif 000004
【図３】
2020022202.tif 000005
【図４】
2020022202.tif 000006
【図５】
2020022202.tif 000007
【図６】
2020022202.tif 000008
【図７】
2020022202.tif 000009
【図８】
2020022202.tif 000010
【図９】
2020022202.tif 000011
【図１０】
2020022202.tif 000012
【図１１】
2020022202.tif 000013
【図１２】
2020022202.tif 000014
【図１３】
2020022202.tif 000015
【図１４】
2020022202.tif 000016